(57)【特許請求の範囲】
【請求項１】
保護取付枠を用いることなく取付け具で前傾状態に支持するようにした凸面ミラーであって、該凸面ミラーの重心よりも上方側に前後に貫通する係止孔を左右一対設け、該左右一対の係止孔にそれぞれ前記取付け具の支持用のフックを挿入して前記凸面ミラーを懸架させると共に、該凸面ミラーの重心よりも下方側を前記取付け具の支持部で当接支持するようにした取付け具を備えた凸面ミラー。
【請求項２】
前記支持用のフックを左右方向に回転可能にすると共に、前後方向に進退可能にした請求項１に記載の取付け具を備えた凸面ミラー。
【請求項３】
保護取付枠を用いることなく取付け具で前傾状態に支持するようにした凸面ミラーであって、該凸面ミラーの重心よりも上方側に固定杆で固定した係止環を左右一対設け、該左右一対の係止環にそれぞれ前記取付け具の支持用のフックを挿入して前記凸面ミラーを懸架させると共に、該凸面ミラーの重心よりも下方側を前記取付け具の支持部で当接支持するようにし、かつ前記支持用のフックを左右方向に回転可能にすると共に、前後方向に進退可能にした取付け具を備えた凸面ミラー。
【請求項４】
前記凸面ミラーの背面に前記支持部を面ファスナーを介して着脱自在にした請求項１、２又は３に記載の取付け具を備えた凸面ミラー。
【請求項５】
前記凸面ミラーの背面側に前記係止孔の周囲を囲むように該係止孔よりも大きな開口をもつグロメットを貼り付けた請求項１、２、３又は４に記載の取付け具を備えた凸面ミラー。
【発明の詳細な説明】
【０００１】
【発明の属する技術分野】
本発明は取付け具を備えた凸面ミラーに関し、さらに詳しくは保護取付枠を使用することなく壁面に対して傾斜状態に取付けるようにした取付け具を備えた凸面ミラーに関する。
【０００２】
【従来の技術】
凸面ミラーは広角に視野を映し出す機能を有するため、多数の客が出入りするスーパーマーケットやデパート等の店舗に万引防止用の監視ミラーとして利用されることが多い。このように監視ミラーに利用される凸面ミラーは、壁面に対して違和感を生ずることなく、かつ客に対して凸面ミラーの存在が気づかれず、ミラー自体の個性が表れないように取り付けられるようにしたものが多い。
【０００３】
一般に凸面ミラーは透明樹脂が基板に使用され、その基板の裏面に反射用金属箔をメッキ又は蒸着し、さらに金属箔の表面に剥離防止用に塗料が塗布されて構成されている。しかし、金属箔は接着力が弱く破れやすいため、保護用塗料が塗布されているとはいえ、凸面ミラーを直接ネジで締付け固定すると、その締付け圧力により凸曲面が平面状に変形することよって歪を生ずるため、その歪により金属箔が基板から剥離しやすくなる。したがって、一般に凸面ミラーを壁面等に取り付けるときは、金属箔の剥離を防止するため凸面ミラーに保護取付枠を取り付け、この保護取付枠を介して取り付けることにより、凸面ミラーをネジ等で直接締め付けないようにしている。
【０００４】
しかし、凸面ミラーに装着される保護取付枠は、形状，模様，色などが様々であることによって凸面ミラーに種々の個性を与えるようになるため、目立たないように取り付けることが望ましい監視ミラーにとっては、その監視機能をかなり減殺してしまうという欠点をもたらすようになる。
【０００５】
したがって、凸面ミラーを保護取付枠を使用することなく取り付けることと、その凸面ミラーの金属箔に剥離を生じないように取り付けることとは、互いに両立させにくい問題になっていた。
【０００６】
【発明が解決しようとする課題】
本発明の目的は、上述した課題を解決し、保護取付枠を使用しないようにしながら、金属箔の剥離を生じない取り付けを可能にする取付け具を備えた凸面ミラーを提供することにある。
【０００７】
【課題を解決するための手段】
上記目的を達成する本発明は、保護取付枠を用いることなく取付け具で前傾状態に支持するようにした凸面ミラーであって、該凸面ミラーの重心よりも上方側に前後に貫通する係止孔を左右一対設け、該左右一対の係止孔にそれぞれ前記取付け具の支持用のフックを挿入して前記凸面ミラーを懸架させると共に、該凸面ミラーの重心よりも下方側を前記取付け具の支持部で当接支持するようにしたことを特徴とするものである。また、本発明は、保護取付枠を用いることなく取付け具で前傾状態に支持するようにした凸面ミラーであって、該凸面ミラーの重心よりも上方側に固定杆で固定した係止環を左右一対設け、該左右一対の係止環にそれぞれ前記取付け具の支持用のフックを挿入して前記凸面ミラーを懸架させると共に、該凸面ミラーの重心よりも下方側を前記取付け具の支持部で当接支持するようにし、かつ前記支持用のフックを左右方向に回転可能にすると共に、前後方向に進退可能にしたことを特徴とするものである。
【０００８】
このように凸面ミラーの重心よりも上方側に、係止孔又は係止環を左右一対設け、この係止孔又は係止環に支持用のフックを挿入して凸面ミラーを懸架するようにし、その凸面ミラーの重心より下方側を支持部で当接支持するようにしたため、凸面ミラーに保護取付枠を装着しなくても凸面ミラーに歪みを与えることなく傾斜支持が可能になり、反射用の金属箔に剥離を生じないようにすることができる。
【０００９】
【発明の実施の形態】
図１（Ａ），（Ｂ）は、本発明の取付け具を備えた凸面ミラーの一例を示す。
図１において、１は凸面ミラーであり、取付け具２を介して壁面３に前傾姿勢になるように取付けられている。この凸面ミラー１は、図４に示すように、ポリカーボネート、ポリアクリル等の透明樹脂から球面状に成形された樹脂板１０を母材とし、その樹脂板１０の裏面にスズなどの金属箔１６をメッキ又は蒸着させ、さらにその金属箔１６の表面に保護用塗料１７を塗布して構成されている。
【００１０】
凸面ミラー１は保護取付枠を設けずに裸のままにしてあり、その重心Ｇよりも上方側に左右一対の係止孔１１，１１が貫通するように設けられている。各係止孔１１には、その凸面ミラー１の裏面側に、該係止孔１１よりも大きな開口をもつゴム製のグロメット１２が貼り付けられている。また、凸面ミラー１の重心Ｇよりも下方側には、その背面の幅方向中央部に面ファスナー１３が貼り付けられている。
【００１１】
取付け具２は、長方形の基板２０の上部に吊下孔２１を設け、この吊下孔２１を壁面３側に固定されたフック３０に挿入することにより吊り下げられるようになっている。取付け具２の取付け方としては、このように壁面３に固定したフック３０に懸架するほか、基板２０と壁面３との間を両面テープで貼り付けるようにしてもよく、或いは基板２０をネジなどで壁面３に直接固定するようにしてもよく、特に限定されるものではない。
【００１２】
取付け具２の基板２０には、図２に示すように、上部側に左右一対の支持アーム２２，２２が設けられ、この支持アーム２２にそれぞれ支持用のフック部材２３がネジ２４で固定されている。フック部材２３は金属ワイヤが折り曲げられることにより加工され、先端部に閉ループ状のフック２３ａを形成し、このフック２３ａの後方に延長する左右２本のワイヤのうち一方を下方へ屈曲させてストッパー２３ｂを形成し、さらに後方に延長する左右２本のワイヤを本体部分としてネジ２４により固定されるようになっている。
【００１３】
左右のフック部材２３，２３は、それぞれネジ２４を弛めると左右方向に回動可能であると共に、前後方向に進退可能になっており、これらの操作により左右のフック部材２３，２３のフック２３ａ，２３ａ間の左右の間隔と、前後方向の長さ調整が行えるようになっている。また、フック部材２３を金属ワイヤから形成することによりフック２３ａを目立ち難くし、凸面ミラー１に対して極力個性を与えないようになっている。
【００１４】
また、基板２０の下部側には支持部２５が水平に突出し、この支持部２５の前端に面ファスナー２６が取り付けられている。この支持部２５の前端位置は、上方側に設けたフック部材２３のフック２３ａの位置よりも水平方向に後方側へ後退した位置にある。支持部２５の前端の面ファスナー２６は、上述した凸面ミラー１の背面に設けた面ファスナー１３と雄・雌の関係にあり、互いに着脱自在に係合するようになっている。
【００１５】
すなわち、面ファスナー１３，２６は、通称「マジックファスナー」とも称されていて、一方の面ファスナーが先端をフック状に屈曲させた多数の合成繊維モノフィラメントを植設した布帛からなり、他方の面ファスナーが合成繊維糸条を多数のループを形成するように織り込んだ布帛からなり、これらフック（雄）とループ（雌）とが互いに係合しあうようになっている。
【００１６】
なお、本発明において、面ファスナー１３，２６は、凸面ミラーの安定取付けのため、これが設けられていることが好ましいが、必要により省略するようにしてもよい。このように面ファスナー１３，２６を省略した場合には、支持部２５の前端は凸面ミラー１の背面を単に当接支持するだけになる。
【００１７】
上述した構成からなる凸面ミラー１は、上述した取付け具２を使用することにより、次のようにして壁面３に取り付けることができる。
先ず、取付け具２の係止孔２１を壁面３に固定されたフック３０に挿入懸架させて、取付け具２を取り付ける。次いで、凸面ミラー１を図１（Ａ）に鎖線で示すように斜めに傾斜させ、その上部側の係止孔１１，１１を取付け具２のフック２３ａ，２３ａに差し込む。この差し込み操作の際、初めから係止孔１１にフック２３ａを挿入するようにせず、先ず大きな開口面積を持つグロメット１２の開口部にフック２３ａの先端部を差し込み、次いで係止孔１１に滑らせるように挿入するようにすれば、簡単に挿入することができる。
【００１８】
係止孔１１にフック２３ａが挿入したら凸面ミラー１を懸架状態にする。このように懸架状態にした凸面ミラー１の下部側を壁面３へ向けて押すと、裏面の面ファスナー１３が支持部２５の面ファスナー２６に付着係合するため、凸面ミラー１は固定される。前述したように支持部２５の面ファスナー２６がフック２３ａよりも水平方向に後方に位置するるので、凸面ミラー１は前傾姿勢になって固定される。
【００１９】
図３（Ａ），（Ｂ）は、本発明の他の実施形態を示すものである。
この実施形態では、図１（Ａ），（Ｂ）で例示したフック２３ａにより懸架する凸面ミラー１の係止孔１１に代えて、係止環１１’を設けるようにしたものである。この係止環１１’は、門形の金具の両端部を凸面ミラー１の裏面に当てた状態で、その両端部をそれぞれ固定ピン１５（固定杆）で固定されている。
【００２０】
このように係止環１１’を取り付ける固定ピン１５は、凸面ミラー１に貫通するように設けられているため、係止環１１’にフック２３ａを挿入懸架しても凸面ミラー１に歪を発生させることがなく、反射用の金属箔にも剥離を発生させることはない。したがって、前述した図１の場合と同様の作用効果を奏することができる。
【００２１】
本発明の取付け具によると、凸面ミラーを保護取付枠なしで取り付けるようにしたので、保護取付枠による個性が与えられることがなく、どのような壁面に対しても調和することができる。また、保護取付枠なしの裸状態の凸面ミラーが壁面から前方へ引き離された状態に取り付けられるため、凸面ミラーの背面に淡い陰影を生じ浮き上がった状態になり、壁面との調和を一段と良好にすることができる。
【００２２】
また、凸面ミラー１の上部に設けた係止孔１１又は係止環１１’にフック２３ａを挿入して懸架すると共に、下部を支持部２５で当接支持するだけにしたので、直接ネジで締付け固定したときのように凸面ミラーに歪を与えることがない。したがって、その歪によって凸面ミラーにおける反射用金属箔に剥離を生じさせることがない。
【００２３】
また、本発明の取付け具については、図１及び図２に例示した実施形態のように、左右一対のフック２３ａ，２３ａを左右方向に移動可能にすることにより、両フック２３ａ，２３ａの間隔を調節することが可能になり、１種類の取付け具２でもって種々サイズが異なる凸面ミラーを取り付けることが可能になる。また、フック部材２３を前後方向に移動可能にすることにより長さ調節可能になるので、凸面ミラー１の傾斜角度（前傾角度）を調整可能にすることができる。
【００２４】
また、フック部材については、図示の例のようにフック２３ａの後方側に係止孔１１の背面に当接するストッパー２３ｂを設けるようにすると、凸面ミラー１をフック２３ａとストッパー２３ｂにより前後から位置規制することができるようになるため、装着後の凸面ミラー１を確実に固定し、ミラー面に安定した映像を映しだすことができる。
【００２５】
【発明の効果】
上述したように本発明によれば、凸面ミラーの重心より上方側に、凸面ミラーを貫通する係止孔又は固定杆（ピン）で固定した係止環を左右一対設け、この係止孔又は係止環に支持用のフックを挿入して凸面ミラーを懸架し、かつ重心よりも下方側を支持部で当接支持するようにしたので、保護保持枠を設けない凸面ミラーであっても歪を生じないように支持が可能になり、反射用金属箔に剥離を生じないようにすることができる。
【図面の簡単な説明】
【図１】本発明の実施形態からなる凸面ミラーの取付け具を示し、（Ａ）は縦断面図、（Ｂ）は正面図である。
【図２】図１の取付け具を凸面ミラーを想像線の状態にして示す斜視図である。
【図３】他の実施形態からなる凸面ミラーの係止環の要部を示し、（Ａ）は（Ｂ）におけるＹ−Ｙ矢視の断面図、（Ｂ）は（Ａ）におけるＸ−Ｘ矢視の断面図である。
【図４】本発明に使用される凸面ミラーの要部を示す縦断面図である。
【符号の説明】
１  凸面ミラー
１０  樹脂板
１１  係止孔
１１’係止環
１２  グロメット
１３，２６  面ファスナー
Ｇ  重心
２  取付け具
２０  基板
２２  支持アーム
２３  フック部材
２３ａ  フック
２４  ネジ
２５  支持部
３  壁面
【図１】
0004346154.tif 000002
【図２】
0004346154.tif 000003
【図３】
0004346154.tif 000004
【図４】
0004346154.tif 000005